(57)【要約】      （修正有）【課題】簡単に折りたたまれる折りたたみ縦型かばんを提供する。【解決手段】シート材料を、第１辺の垂直２等分線を中心に相対向する第２辺同士が近接するように該垂直２等分線に平行な折り線に沿って折りたたんで、中央に形成される折りたたみ表面５と該折りたたみ表面の両脇に形成される複数のプリーツ４とを有するかばん本体Ｂと、前記かばん本体の中央部に形成され、前記垂直２等分線に沿って切開される持ち手開口部６と、前記かばん本体を長手方向に二分する折り返し線に沿って折りたたみ表面が外側を向くように折り返されたかばん本体の折り返し部側に形成される持ち手部Ｂ１と、前記折り返されたかばん本体の重なり合うプリーツの第２辺同士を側端部側だけ接合して形成される収納部Ｂ２と、前記折り返されたかばん本体の重なり合うプリーツの側端部を重ね合わせた状態で封止して形成される集束底部Ｃとを備えることを特徴とする。【選択図】図１
2020036739.tif 000002
【特許請求の範囲】
【請求項１】
使用状態から長手方向に緊張させることにより折りたたみ状態となる折りたたみ縦型かばんであって、
隣り合う第１辺と第２辺とからなる矩形のシート材料を、第１辺の垂直２等分線を中心に相対向する第２辺同士が近接するように該垂直２等分線に平行な折り線に沿って折りたたんで、中央に形成される折りたたみ表面と該折りたたみ表面の両脇に形成される複数のプリーツとを有するかばん本体と、
前記かばん本体の中央部に形成され、前記垂直２等分線に沿って切開される持ち手開口部と、
前記かばん本体を長手方向に二分する折り返し線に沿って折りたたみ表面が外側を向くように折り返されたかばん本体の折り返し部側に形成される持ち手部と、
前記折り返されたかばん本体の重なり合うプリーツの第２辺同士を側端部側だけ接合して形成される収納部と、
前記折り返されたかばん本体の重なり合うプリーツの側端部を重ね合わせた状態で封止して形成される集束底部とを備えることを特徴とする折りたたみ縦型かばん。
【請求項２】
前記シート材料は、第１辺の垂直２等分線上の中央部分に形成される持ち手開口線と、前記垂直２等分線から相対向する第２辺側に向けて、折りたたみ表面の幅Ｓ１で形成される第１山折り線と、該第１山折り線から第２辺側に向けて幅Ｓ１の１／２未満の間隔Ｓ２で形成される複数組の谷折り線および山折り線と、第２辺側寄りの山折り線から間隔Ｓ２で形成される折曲線と、第２辺の垂直２等分線上に形成される折り返し線とを備えることを特徴とする請求項１に記載の折りたたみ縦型かばん。
【請求項３】
前記持ち手部は、折り返し部の両脇を裏側に折り込み形成される細幅部を備えることを特徴とする請求項１または２に記載の折りたたみ縦型かばん。
【発明の詳細な説明】
【技術分野】
【０００１】
本発明は、折りたたみ縦型かばんに関し、とくに、不使用時に小さく折りたたむことで携帯が便利な折りたたみ縦型かばんに関するものである。
【背景技術】
【０００２】
シート材料で構成され、不使用時の携帯を考慮して小さく折りたたむことができる縦型かばんは、従来から様々な提案がなされている。
このような縦型かばんの一例として、布などの柔軟性を有するシートに、縦方向に少なくとも１つ以上の山折り部と谷折り部の折り目をアコーディオン状に設け、布、紙、ビニールなどの柔軟性を有するシートの両端を縫い合わせ筒状とし、山折り部と谷折り部を振り分けて畳み、上部を開口部とし、下部は山折り部と谷折り部を重ね合わせて畳んだ状態で縫い合わせて底部を構成し、開口部の各山折り部と各谷折り部の中間に紐通し穴を設け、紐を通し、前記紐と前記底部を引っ張り合うことで、容易にコンパクトに、しわにならないように畳むことを可能とするショッピングバッグが従来から知られている（例えば、特許文献１参照）。
【０００３】
また、シート材料で構成され、使用後に両端部を引き離す方向に引っ張るだけで、長手方向の両端を閉じた所定の長方形の扁平な帯状の形態にすることができる折りたたみ可能な袋として、前記袋が帯状の形態のときの幅方向中央部分又は一方の側縁を一端部から他端部に亘って直線状に延び、かつ対象物を出し入れするための開口部１００ａと、該開口部１００ａを挟んで、その一方側半分１０ａと他方側半分１０ｂとに位置し、所定の幅で山折り、谷折りを繰り返すことにより形成された複数のプリーツ１２で構成される蛇腹構造の袋本体であって、該複数のプリーツ１２の各端部を重ねた状態で閉塞された袋本体と、前記一方側半分１０ａと前記他方側半分１０ｂとに形成され、前記開口部１００ａに沿って延びる第１、第２のトンネル部１８ａ，１８ｂと、前記第１のトンネル部１８ａに挿通され、幅を有する扁平な第１のストラップＳＴ１と、前記第２のトンネル部１８ｂに挿通され、幅を有する扁平な第２のストラップＳＴ２と、前記第１、第２のトンネル部の両端から前記第１、第２のストラップＳＴ１，ＳＴ２の一部を引っ張り出すことにより前記開口部１００ａを小さくしながら、第１、第２のストラップＳＴ１，ＳＴ２を使って運ぶことができる手提げ袋も、従来から知られている（例えば、特許文献２参照）。
【先行技術文献】
【特許文献】
【０００４】
【特許文献１】特開２０１５−５８３４３号公報
【特許文献２】国際公開第２０１７／０３３９０２号
【発明の概要】
【発明が解決しようとする課題】
【０００５】
上記特許文献１記載のショッピングバッグでは、紐と底部を引っ張り合うことで、容易にコンパクトに畳むことができるものの、持ち手として紐を別に用意して開口部に装着する必要があり、ショッピングバッグの製作に手間がかかるという問題があった。
また、上記特許文献２記載の折りたたみ可能な袋では、使用後に両端部を引き離す方向に引っ張るだけで、長手方向の両端を閉じた形態にすることができるものの、持ち手としてシート材料とは別にストラップを用意し、トンネル部に挿通する必要があり、上記特許文献１と同様に、折りたたみ可能な袋の製作に手間がかかるという問題があった。
【０００６】
本発明は、上記問題を解決することを課題とし、１枚のシート材料を折りたたむことにより持ち手部と一体に製作されるとともに、使用後は、長手方向の両端を引き離す方向に緊張させるだけで、簡単に折りたたまれる折りたたみ縦型かばんを提供することを目的とする。
【課題を解決するための手段】
【０００７】
本発明は、上記の課題を解決するため、折りたたみ縦型かばんとして、使用状態から長手方向に緊張させることにより折りたたみ状態となる折りたたみ縦型かばんであって、隣り合う第１辺と第２辺とからなる矩形のシート材料を、第１辺の垂直２等分線を中心に相対向する第２辺同士が近接するように該垂直２等分線に平行な折り線に沿って折りたたんで、中央に形成される折りたたみ表面と該折りたたみ表面の両脇に形成される複数のプリーツとを有するかばん本体と、前記かばん本体の中央部に形成され、前記垂直２等分線に沿って切開される持ち手開口部と、前記かばん本体を長手方向に二分する折り返し線に沿って折りたたみ表面が外側を向くように折り返されたかばん本体の折り返し部側に形成される持ち手部と、前記折り返されたかばん本体の重なり合うプリーツの第２辺同士を側端部側だけ接合して形成される収納部と、前記折り返されたかばん本体の重なり合うプリーツの側端部を重ね合わせた状態で封止して形成される集束底部とを備えることを特徴とする構成を採用する。
【０００８】
かばん本体を構成するシート材料の具体的実施形態として、前記シート材料は、第１辺の垂直２等分線上の中央部分に形成される持ち手開口線と、前記垂直２等分線から相対向する第２辺側に向けて、折りたたみ表面の幅Ｓ１で形成される第１山折り線と、該第１山折り線から第２辺側に向けて幅Ｓ１の１／２未満の間隔Ｓ２で形成される複数組の谷折り線および山折り線と、第２辺側寄りの山折り線から間隔Ｓ２で形成される折曲線と、第２辺の垂直２等分線上に形成される折り返し線とを備えることを特徴とする構成を採用する。
また、持ち手部の具体的実施形態として、前記持ち手部は、折り返し部の両脇を裏側に折り込み形成される細幅部を備えることを特徴とする構成を採用する。
【発明の効果】
【０００９】
本発明の折りたたみ縦型かばんは、上記構成を採用することにより、１枚のシート材料を折りたたむことにより、持ち手部と一体の折りたたみ縦型かばんを製作することができるとともに、使用後は、長手方向の両端を引き離す方向に緊張させるだけで、簡単に折りたたむことが可能である。
また、本発明の折りたたみ縦型かばんは、かばん本体の持ち手部と収納部とが１枚の矩形のシート材料により製作されているので、製作工程をシンプルにすることができる。
さらに、本発明の折りたたみ縦型かばんは、持ち手部に細幅部を備えているので、折りたたみ縦型かばんを手で持ちやすくするとともに、肩に掛けやすくすることができる。
【図面の簡単な説明】
【００１０】
【図１】本発明の実施例である折りたたみ縦型かばんの折りたたんだ状態を示す斜視図である。
【図２】実施例の折りたたみ縦型かばんを製作するシート材料を展開した状態を示す図である。
【図３】図２のシート材料の折りたたみ状態を示す模式図である。
【図４】図３の折りたたんだシート材料を折り返した状態を示す模式図である。
【図５】図１の断面を示す模式図であり、（ａ）はＸ１−Ｘ１方向矢視断面模式図、（ｂ）はＸ２−Ｘ２方向矢視断面模式図である。
【図６】実施例の折りたたみ縦型かばんの使用状態を示す斜視図である。
【図７】実施例の折りたたみ縦型かばんの使用状態を示す図であり、（ａ）は上面図、（ｂ）は正面図、（ｃ）は側面図である。
【発明を実施するための形態】
【００１１】
次に、本発明の折りたたみ縦型かばんについて、実施例を示した図面を参照して説明する。
以下の説明では、図１の斜視図でみて、縦方向を「上下」、左上から右下方向を「左右」、左下から右上方向を「前後」とする。
【実施例】
【００１２】
図１において、Ａは折りたたみ縦型かばんで、折りたたんだ状態を示し、Ｂは両脇にプリーツ４を形成することによって扁平な形状に折りたたまれるかばん本体、Ｂ１はかばん本体Ｂの上部に形成される持ち手部、Ｂ２は持ち手部Ｂ１の下端部から連続して形成される収納部、Ｃはかばん本体Ｂに形成されたプリーツ４の側端部７を重ね合わせた状態で封止して形成される集束底部、Ｄはかばん本体Ｂの集束底部Ｃ寄りに設けられ、折りたたみ縦型かばんＡを長手方向に折りたたんだ状態で結束する留めバンドである。
【００１３】
かばん本体Ｂは、図２に示すように、矩形のシート材料３から構成され、本実施例では、説明の都合上、シート材料３は、第１辺を短辺２、第２辺を長辺１とする長方形としているが、第１辺を長辺１、第２辺を短辺２としても構わない。また、シート材料３は、第１辺と第２辺とが等辺の正方形であっても構わない。
本実施例では、シート材料３の材質として、ポリエステルの布帛が使用されているが、ナイロンなどの合成繊維や木綿などの天然繊維からなる布帛や、前記布帛に合成樹脂をコーティングした積層材料など、必要な強度と屈曲性を有する可撓性のシート材料であれば、いずれも選択可能である。
【００１４】
シート材料３は、図３に示す複数のプリーツ４を形成するために、短辺２の垂直２等分線である中心線ＣＬを挟んで線対称に、長辺１（中心線ＣＬ）と平行に間隔Ｓ１で形成される一対の第１山折り線Ｍ１と、該第１山折り線Ｍ１から長辺１側に向けて間隔Ｓ１の１／２未満の間隔Ｓ２で形成される一対の第１谷折り線Ｖ１と、該第１谷折り線Ｖ１から長辺１側に向けて間隔Ｓ２で形成される一対の第２山折り線Ｍ２と、該第２山折り線Ｍ２から長辺１側に向けて間隔Ｓ２で形成される一対の第２谷折り線Ｖ２と、該第２谷折り線Ｖ２から長辺１側に向けて間隔Ｓ２で形成される一対の第３山折り線Ｍ３と、該第３山折り線Ｍ３から長辺１側に向けて間隔Ｓ２で形成される一対の折曲線Ｔとを有し、該折曲線Ｔから長辺１までの幅は、間隔Ｓ２よりも狭い間隔Ｓ３となるように設定されている。
本実施例では、シート材料３に、第３山折り線Ｍ３および折曲線Ｔ（第３谷折り線に相当）まで形成されているが、プリーツ４の数に相当する山折り線および谷折り線の数およびプリーツ幅に相当する間隔Ｓ２は、折りたたみ縦型かばんの形状に応じて任意に設定することができる。
【００１５】
かばん本体Ｂは、図３に示すように、シート材料３を山折り線Ｍ１〜３、谷折り線Ｖ１〜２および折曲線Ｔに沿って、それぞれ折りたたむことにより、中心線ＣＬを挟んで折りたたみ表面５の両脇に一対の蛇腹状のプリーツ４が形成される。
さらに、かばん本体Ｂには、折りたたみ表面５の中心線ＣＬに沿って中央部を開口寸法Ｌ１の開口線ＯＬ（図２参照）をカッター等で切開することにより持ち手開口部６が形成される。
【００１６】
次に、プリーツ４が形成されたかばん本体Ｂは、プリーツ４の第３山折り線Ｍ３同士が対向するように、シート材料３における長辺１の垂直２等分線である折り返し線ＦＬに沿って矢印Ｆ方向に折り返され、図４に示すように、折りたたみ表面５の短辺２側である側端部７同士が対向するようになる。
以上のように、かばん本体Ｂは、折りたたみ表面５が外側を向くように、折り返し線ＦＬに沿って折り返すことにより、かばん本体Ｂの持ち手開口部６で分離された一対の折り返し部８側（側端部７と反対側）に、持ち手部Ｂ１が形成される。
【００１７】
持ち手部Ｂ１は、図１に示すように、折りたたみ表面５に形成された持ち手開口部６全体を補強するために、図５（ａ）に示すように、開口縁部１１には、表裏にわたってグログランテープなどの補強テープ１２が縫い付けられ、さらに、持ち手開口部６の開口端部６ａを補強するために、補強テープ１３が縫い付けられる。
さらに、持ち手部Ｂ１は、折り返し部８の幅が広いと、手で持ちにくかったり、肩に掛けにくかったりするので、持ち手部Ｂ１は、折り返し部８の両脇を裏側に折り込み、縫合することにより細幅部１４が形成されている。
また、持ち手部Ｂ１は、図６に示すように、プリーツ４の折曲線Ｔ同士を離隔するために、図５（ａ）に示すように、それぞれの折曲線Ｔは、裏側に折り込まれた状態で縫い付けられ、プリーツ開口部１５が形成される。
【００１８】
次に、折り返されたかばん本体Ｂは、図１に示すように、持ち手部Ｂ１の下端部から連続して収納部Ｂ２が形成されている。収納部Ｂ２は、図５（ｂ）に示すように、プリーツ４の折曲線Ｔと隣接して重なり合う辺同士を裏側に折り込まれた状態で縫い付けることにより形成される。
【００１９】
集束底部Ｃは、図１に示すように、かばん本体Ｂの折りたたみ表面５の幅である間隔Ｓ１の２倍強に相当する全長を有する補強テープ１７から構成され、かばん本体Ｂに形成されたプリーツ４の側端部７を重ね合わせた状態で封止するために、補強テープ１７を折りたたみ表面５の両脇で折り返し、かばん本体Ｂの側端部７を挟持するように縫合されている。
【００２０】
さらに、図１に示すように、かばん本体Ｂの集束底部Ｃ寄りには、折りたたみ表面５の両脇から前方に向けて、かばん本体Ｂを長手方向に折りたたんで結束するために、図５（ｂ）に示すように、テープ状のゴム製の留めバンドＤが縫い付けられている。
本実施例では、留めバンドＤは、テープ状のゴム製のものが使用されているが、このタイプのものに限らず、かばん本体Ｂを長手方向に折りたたんで結束できるものであればよい。
【００２１】
以上説明したように、折りたたみ縦型かばんＡは、折りたたまれた状態で製作されるので、次に、図７を参照しながら、使用状態の折りたたみ縦型かばんＡの外観について説明する。
使用状態に拡げられた折りたたみ縦型かばんＡは、図７（ａ）の上面図で示すように、かばん本体Ｂの前面の折りたたみ表面５と、前面の折りたたみ表面５の両脇に形成されたプリーツ４からなる湾曲面状の一対の横マチ１９（側面）と、一対の横マチ１９から後方に連続する後面の折りたたみ表面５と、集束底部Ｃから拡げられたプリーツ４からなる底マチ２０（底面）とから構成されている。
【００２２】
次に、本実施例の使用態様と作用効果について図面を参照しながら説明する。
本実施例の折りたたみ縦型かばんＡは、図３に示すように、かばん本体Ｂを構成するシート材料３を山折り線Ｍ１〜３、谷折り線Ｖ１〜２および折曲線Ｔに沿って、それぞれ折りたたまれた後、折りたたみ表面５の中央に持ち手開口部６を切開し、図４に示すように、かばん本体Ｂは、折りたたみ表面５が外側を向くように、折り返し線ＦＬに沿って折り返される。
折り返されたかばん本体Ｂの持ち手部Ｂ１に形成された持ち手開口部６には、補強テープ１２および１３が縫い付けられるとともに、持ち手部Ｂ１は、折り返し部８の両脇を裏側に折り込み、縫合することにより細幅部１４が形成される。
【００２３】
その後、かばん本体Ｂの収納部Ｂ２は、図５（ｂ）に示すように、プリーツ４の折曲線Ｔと隣接する重なり合う辺同士を裏側に折り込まれた状態で縫い付けられ、かばん本体Ｂの折りたたまれた側端部７に集束底部Ｃを形成する補強テープ１７を縫い付けるとともに、折りたたみ表面５の集束底部Ｃ寄りに留めバンドＤを縫い付けることにより、図１に示すように、折りたたみ縦型かばんＡは、折りたたまれた状態で製作される。
【００２４】
次に、図６を参照しながら、折りたたまれた折りたたみ縦型かばんＡを使用可能な状態にする手順について説明する。
まず、結束された折りたたみ縦型かばんＡから留めバンドＤを外し、図１のように、集束底部Ｃを下にした状態で長手方向に拡げる。
その後、持ち手部Ｂ１の持ち手開口部６を開くと、図６のように、折りたたみ縦型かばんＡが使用可能な状態になるので、持ち手開口部６から収納物品を入れた後、持ち手開口部６を閉じ、持ち手部Ｂ１に手を掛けて使用することができる。
【００２５】
以上のように、使用状態に拡げられた折りたたみ縦型かばんＡは、図７（ａ）に示すように、かばん本体Ｂの前面の折りたたみ表面５と、後面の折りたたみ表面５との間に形成されたプリーツ４が拡張され、横マチ１９として収納部Ｂ２の容積が増大するとともに、持ち手部Ｂ１の持ち手開口部６およびプリーツ開口部１５が開くことにより収納部Ｂ２へのアクセスを容易にすることができる。
【００２６】
次に、図６を参照しながら、使用後の折りたたみ縦型かばんＡを小さく折りたたむ手順について説明する。
まず、かばん本体Ｂの持ち手開口部６を開き、収納物品を取り出した後、持ち手部Ｂ１の折り返し部８と集束底部Ｃとを引き離す方向に両手で引っ張ることで、図１に示すように、折りたたみ縦型かばんＡを折りたたみ表面５が表裏に存在する扁平な形状にすることができる。
その後、かばん本体Ｂを長手方向に折りたたみ、最後に、ゴム製の留めバンドＤで結束して折りたたみが完了する。
【産業上の利用可能性】
【００２７】
本発明の折りたたみ縦型かばんは、１枚のシート材料を折りたたむことにより、持ち手部と一体の折りたたみ縦型かばんを製作することができるとともに、使用後は、長手方向の両端を引き離す方向に緊張させるだけで、簡単に折りたたむことができるので、携帯時に簡単に折りたたむことができ、とくに、外出の際に携行する肩掛けかばんとして好適である。
【符号の説明】
【００２８】
Ａ            折りたたみ縦型かばん
Ｂ            かばん本体
Ｂ１          持ち手部
Ｂ２          収納部
Ｃ            集束底部
Ｄ            留めバンド
ＣＬ          中心線
ＦＬ          折り返し線
ＯＬ          開口線
Ｌ１          開口寸法
Ｍ１、Ｍ２、Ｍ３  山折り線
Ｖ１、Ｖ２    谷折り線
Ｔ            折曲線
Ｓ１、Ｓ２、Ｓ３  間隔
１            長辺
２            短辺
３            シート材料
４            プリーツ
５            折りたたみ表面
６            持ち手開口部
６ａ          開口端部
７            側端部
８            折り返し部
１１            開口縁部
１２、１３、１７  補強テープ
１４            細幅部
１５            プリーツ開口部
１９            横マチ
２０            底マチ
【図１】
2020036739.tif 000003
【図２】
2020036739.tif 000004
【図３】
2020036739.tif 000005
【図４】
2020036739.tif 000006
【図５】
2020036739.tif 000007
【図６】
2020036739.tif 000008
【図７】
2020036739.tif 000009
【手続補正書】
【提出日】平成31年2月19日(2019.2.19)
【手続補正１】
【補正対象書類名】特許請求の範囲
【補正対象項目名】全文
【補正方法】変更
【補正の内容】
【特許請求の範囲】
【請求項１】
使用状態から長手方向に緊張させることにより折りたたみ状態となる折りたたみ縦型かばんであって、
隣り合う第１辺と第２辺とからなる矩形のシート材料を、第１辺の垂直２等分線を中心に相対向する第２辺同士が近接するように該垂直２等分線に平行な折り線に沿って折りたたんで、中央に形成される折りたたみ表面と該折りたたみ表面の両脇に形成される複数のプリーツとを有するかばん本体と、
前記折りたたみ表面の中央部に形成され、前記垂直２等分線に沿って切開される持ち手開口部と、
前記かばん本体を長手方向に二分する折り返し線に沿って折りたたみ表面が外側を向くように折り返されることにより、かばん本体の持ち手開口部で分離された一対の折り返し部側に形成される持ち手部と、
前記折り返されたかばん本体の重なり合うプリーツの第２辺同士を側端部側だけ接合して形成される収納部と、
前記折り返されたかばん本体の重なり合うプリーツの側端部を重ね合わせた状態で封止して形成される集束底部とを備えることを特徴とする折りたたみ縦型かばん。
【請求項２】
前記シート材料は、第１辺の垂直２等分線上の中央部分に形成される持ち手開口線と、前記垂直２等分線から相対向する第２辺側に向けて、折りたたみ表面の幅Ｓ１で形成される一対の第１山折り線と、該第１山折り線から第２辺側に向けて幅Ｓ１の１／２未満の間隔Ｓ２で形成される複数組の谷折り線および山折り線と、第２辺側寄りの一対の山折り線から間隔Ｓ２で形成される一対の折曲線と、第２辺の垂直２等分線上に形成される折り返し線とを備えることを特徴とする請求項１に記載の折りたたみ縦型かばん。
【請求項３】
前記持ち手部は、前記一対の折り返し部の両脇を裏側に折り込み形成される細幅部を備えることを特徴とする請求項１または２に記載の折りたたみ縦型かばん。
【手続補正２】
【補正対象書類名】明細書
【補正対象項目名】０００７
【補正方法】変更
【補正の内容】
【０００７】
本発明は、上記の課題を解決するため、折りたたみ縦型かばんとして、使用状態から長手方向に緊張させることにより折りたたみ状態となる折りたたみ縦型かばんであって、隣り合う第１辺と第２辺とからなる矩形のシート材料を、第１辺の垂直２等分線を中心に相対向する第２辺同士が近接するように該垂直２等分線に平行な折り線に沿って折りたたんで、中央に形成される折りたたみ表面と該折りたたみ表面の両脇に形成される複数のプリーツとを有するかばん本体と、前記折りたたみ表面の中央部に形成され、前記垂直２等分線に沿って切開される持ち手開口部と、前記かばん本体を長手方向に二分する折り返し線に沿って折りたたみ表面が外側を向くように折り返されることにより、かばん本体の持ち手開口部で分離された一対の折り返し部側に形成される持ち手部と、前記折り返されたかばん本体の重なり合うプリーツの第２辺同士を側端部側だけ接合して形成される収納部と、前記折り返されたかばん本体の重なり合うプリーツの側端部を重ね合わせた状態で封止して形成される集束底部とを備えることを特徴とする構成を採用する。
【手続補正３】
【補正対象書類名】明細書
【補正対象項目名】０００８
【補正方法】変更
【補正の内容】
【０００８】
かばん本体を構成するシート材料の具体的実施形態として、前記シート材料は、第１辺の垂直２等分線上の中央部分に形成される持ち手開口線と、前記垂直２等分線から相対向する第２辺側に向けて、折りたたみ表面の幅Ｓ１で形成される一対の第１山折り線と、該第１山折り線から第２辺側に向けて幅Ｓ１の１／２未満の間隔Ｓ２で形成される複数組の谷折り線および山折り線と、第２辺側寄りの一対の山折り線から間隔Ｓ２で形成される一対の折曲線と、第２辺の垂直２等分線上に形成される折り返し線とを備えることを特徴とする構成を採用する。
また、持ち手部の具体的実施形態として、前記持ち手部は、前記一対の折り返し部の両脇を裏側に折り込み形成される細幅部を備えることを特徴とする構成を採用する。
【手続補正書】
【提出日】令和1年8月9日(2019.8.9)
【手続補正１】
【補正対象書類名】特許請求の範囲
【補正対象項目名】全文
【補正方法】変更
【補正の内容】
【特許請求の範囲】
【請求項１】
使用状態から長手方向に緊張させることにより折りたたみ状態となる折りたたみ縦型かばんであって、
隣り合う第１辺と第２辺とからなる矩形のシート材料を、第１辺の垂直２等分線を中心に相対向する第２辺同士が近接するように該垂直２等分線に平行な折り線に沿って折りたたんで、中央に形成される折りたたみ表面と、該折りたたみ表面の両脇に形成される一対の蛇腹状のプリーツとを有するかばん本体と、
前記折りたたみ表面の前記垂直２等分線に沿って中央部を所定の開口寸法で切開することにより形成される持ち手開口部と、
前記かばん本体を長手方向に二分する折り返し線に沿って折りたたみ表面が外側を向くように折り返されることにより、かばん本体の持ち手開口部で分離された一対の折り返し部側に形成される持ち手部と、
前記折り返されたかばん本体の重なり合う蛇腹状のプリーツの第２辺同士を側端部側だけ接合して形成される収納部と、
前記折り返されたかばん本体の重なり合う蛇腹状のプリーツの側端部を重ね合わせた状態で封止して形成される集束底部とを備えることを特徴とする折りたたみ縦型かばん。
【請求項２】
前記シート材料は、第１辺の垂直２等分線上の中央部分に形成される持ち手開口線と、前記垂直２等分線から相対向する第２辺側に向けて、折りたたみ表面の幅Ｓ１で形成される一対の第１山折り線と、該第１山折り線から第２辺側に向けて幅Ｓ１の１／２未満の間隔Ｓ２で形成される複数組の谷折り線および山折り線と、第２辺側寄りの一対の山折り線から間隔Ｓ２で形成される一対の折曲線と、第２辺の垂直２等分線上に形成される折り返し線とを備えることを特徴とする請求項１に記載の折りたたみ縦型かばん。
【請求項３】
前記持ち手部は、前記一対の折り返し部の両脇を裏側に折り込み形成される細幅部を備えることを特徴とする請求項１または２に記載の折りたたみ縦型かばん。
【手続補正２】
【補正対象書類名】明細書
【補正対象項目名】０００７
【補正方法】変更
【補正の内容】
【０００７】
本発明は、上記の課題を解決するため、折りたたみ縦型かばんとして、使用状態から長手方向に緊張させることにより折りたたみ状態となる折りたたみ縦型かばんであって、隣り合う第１辺と第２辺とからなる矩形のシート材料を、第１辺の垂直２等分線を中心に相対向する第２辺同士が近接するように該垂直２等分線に平行な折り線に沿って折りたたんで、中央に形成される折りたたみ表面と、該折りたたみ表面の両脇に形成される一対の蛇腹状のプリーツとを有するかばん本体と、前記折りたたみ表面の前記垂直２等分線に沿って中央部を所定の開口寸法で切開することにより形成される持ち手開口部と、前記かばん本体を長手方向に二分する折り返し線に沿って折りたたみ表面が外側を向くように折り返されることにより、かばん本体の持ち手開口部で分離された一対の折り返し部側に形成される持ち手部と、前記折り返されたかばん本体の重なり合う蛇腹状のプリーツの第２辺同士を側端部側だけ接合して形成される収納部と、前記折り返されたかばん本体の重なり合う蛇腹状のプリーツの側端部を重ね合わせた状態で封止して形成される集束底部とを備えることを特徴とする構成を採用する。